(57)【要約】【課題】制御配線及び動力配線が手間をかけることなく設置され、これらが結露水によって漏電することなく、また制御配線が動力配線の電磁波の影響を受けることのない圧縮空気除湿装置等のドレンパンを提供することを目的とする。【解決手段】ドレンパン１は、装置の外装体４０内部の底部３０に配置され、底板の周縁部に立ち上がりを有して水の溜りを構成するドレンパン１において、該立ち上がりの上部に略水平な折返し板５が形成されており、該折返し板５に配線２２・２３を固定するための結束バンドの貫通孔が開けられていることを特徴とする。【選択図】図１
2008279416.tif 000002
【特許請求の範囲】
【請求項１】
装置の外装体内部の底部に配置され、底板の周縁部に立ち上がりを有して水の溜りを構成するドレンパンにおいて、該立ち上がりの上部に略水平な折返し板が形成されており、該折返し板に配線を固定するための結束バンドの貫通孔が開けられていることを特徴とするドレンパン。
【請求項２】
該貫通孔が該折返し板に断続して多数開けられていることを特徴とする請求項１に記載のドレンパン。
【請求項３】
該装置が圧縮空気除湿装置であることを特徴とする請求項１に記載のドレンパン。
【請求項４】
装置の外装体内部の底部に配置され、底板の周縁部に立ち上がりを有して水の溜りを構成するドレンパンにおいて、該立ち上がりの上部に略水平な折返し板が形成されており、該折返し板に載せて固定される配線が、該装置の動力系配線と制御系配線とに分けて、隔てられていることを特徴とするドレンパン。
【請求項５】
該装置が圧縮空気除湿装置であることを特徴とする請求項４に記載のドレンパン。
【発明の詳細な説明】
【技術分野】
【０００１】
本発明は、例えば圧縮空気除湿装置のような装置内に備えられた、結露した水を受けるドレンパンに関するものである。
【背景技術】
【０００２】
工場などの現場では、エアコンプレッサから各種エアツールに送出される圧縮空気を除湿するために圧縮空気除湿装置が用いられている。
【０００３】
図４に示すように、圧縮空気除湿装置は、熱交換器２内部において結露した水を排水管３４を介して装置外に排出する。また、それとは別に、装置内部の機器表面や壁面で結露したドレンを、受け皿（ドレンパン）１に溜めて、排水管３２を介して装置外に排出する。
【０００４】
圧縮空気除湿装置の底部３０上の配線ダクト２０には、制御配線２２及び動力配線２３が固定されている。そのため、機器表面や壁面で結露したドレンがドレンパン１に溜まらずに、底部３０に溜まってしまうと、そこに固定された制御配線２２や動力配線２３が漏電するおそれがある。また、この圧縮空気除湿装置では、配線２２・２３同士が配線ダクト２０内にまとめて固定されるため、配線に手間がかかるし、制御配線２２が動力配線２３の電磁波の影響を受けて、誤操作を起こす恐れがある。
【発明の開示】
【発明が解決しようとする課題】
【０００５】
本発明は前記の課題を解決するためになされたもので、制御配線及び動力配線が手間をかけることなく設置され、これらが結露水によって漏電することなく、また制御配線が動力配線の電磁波の影響を受けることのない圧縮空気除湿装置等のドレンパンを提供することを目的とする。
【課題を解決するための手段】
【０００６】
前記の目的を達成するためになされた、特許請求の範囲の請求項１に記載されたドレンパンは、装置の外装体内部の底部に配置され、底板の周縁部に立ち上がりを有して水の溜りを構成するドレンパンにおいて、該立ち上がりの上部に略水平な折返し板が形成されており、該折返し板に配線を固定するための結束バンドの貫通孔が開けられていることを特徴とする。
【０００７】
請求項２に記載されたドレンパンは、請求項１に記載されたものであって、該貫通孔が該折返し板に断続して多数開けられていることを特徴とする。
【０００８】
請求項３に記載されたドレンパンは、請求項１に記載されたものであって、該装置が圧縮空気除湿装置であることを特徴とする。
【０００９】
請求項４に記載されたドレンパンは、装置の外装体内部の底部に配置され、底板の周縁部に立ち上がりを有して水の溜りを構成するドレンパンにおいて、該立ち上がりの上部に略水平な折返し板が形成されており、該折返し板に載せて固定される配線が、該装置の動力系配線と制御系配線とに分けて、隔てられていることを特徴とするドレンパン。
【００１０】
請求項５に記載されたドレンパンは、請求項４に記載されたものであって、該装置が圧縮空気除湿装置であることを特徴とする。
【発明の効果】
【００１１】
本発明のドレンパンを備えた装置では、動力配線と制御配線とを、ドレンパンの折返し板の上に載せて、結束バンドにより固定するため、手間をかけることなく、配線作業を簡便に行うことができる。また、同様の理由により、メンテナンス作業を簡便に行うことができる。
【００１２】
また、本発明のドレンパンを備えた装置では、動力配線と制御配線とが、底部よりも位置の高いドレンパンの折返し板上に固定されるため、底部に溜った結露水に浸かって漏電することがない。
【００１３】
また、本発明のドレンパンを備えた装置では、ドレンパンの折返し板上に固定された動力配線と制御配線とが隔てられているため、制御配線が動力配線の電磁波の影響を受けない。したがって、このドレンパンを備えた装置は電磁波の影響による誤動作を起こすことが無い。
【発明を実施するための好ましい形態】
【００１４】
以下、本発明の実施例を詳細に説明するが、本発明の範囲はこれらの実施例に限定されるものではない。
【００１５】
本発明を適用するドレンパンを備えた圧縮空気除湿装置の一実施形態の斜視図が図１に示されている。図２は、そのドレンパンの要部断面図である。
【００１６】
図１に示すように、ドレンパンを備えた圧縮空気除湿装置の外装体４０内部には、主に熱交換器２，冷媒圧縮機３５，冷媒凝縮器３６，制御部１２，配電盤２５及びドレンパン１が備えられている。
【００１７】
ドレンパン１は、底部３０の上に設置されている。ドレンパン１の上には、冷媒圧縮機３５及び冷媒凝縮器３６が設置されている。また、ドレンパン１の上には、棚部３１を挟んで熱交換器２が設置されている。ドレンパン１には、排水管３２が備えられ、装置外の排水口に接続されている。
【００１８】
熱交換器２の内部には、蒸発器が備えられている。また、熱交換器２の上部には、圧縮空気入口５０と圧縮空気出口５２とが備えられ、連通している。圧縮空気入口５０は、コンプレッサ（不図示）に接続されている。圧縮空気出口５２は、エアツール（不図示）に接続されている。圧縮空気除湿装置内において、圧縮空気入口５０と圧縮空気出口５２との間には、差圧センサ（不図示）が備えられている。熱交換器２の下部には、排水管３４が備えられ、連通している。排水管３４は、装置外の排水口に接続されている。
【００１９】
配電盤２５は、動力配線２３を介して、外部電源（不図示）に接続されている。また、配電盤２５は、動力配線２３を介して、冷媒圧縮機３５，冷媒凝縮器３６，制御部１２及び熱交換器２に接続されている。
【００２０】
制御部１２は、制御配線２２を介して、冷媒圧縮機３５，冷媒凝縮器３６，電子膨張弁（不図示），差圧センサ（不図示）に接続されている。また、制御部１２は、操作部１３に接続されている。
【００２１】
また、冷媒の循環経路８が、冷媒圧縮機３５，冷媒凝縮機３６，受液器（不図示），電子膨張弁（不図示）及び熱交換器２内の蒸発器を経て構成されている。
【００２２】
図２に示すように、ドレンパン１は、底板１７の周縁部１６に、立ち上がり１５が備えられている。ドレンパン１は、立ち上がり１５の上部に、水平な折返し板５が備えられている。折返し板５には、複数の貫通孔７が開けられている。
【００２３】
折返し板５の上には、立ち上がり１５の上部に沿って平行に、互いに距離を隔てて制御配線２２及び動力配線２３が置かれている。制御配線２２及び動力配線２３は、貫通孔７に通された結束バンド１０によって別々に固定されている。
【００２４】
このドレンパンを備えた圧縮空気除湿装置の配線方法を、図２を参照して説明する。
【００２５】
ドレンパン１の折返し板５の上に制御配線２２を載せる。貫通孔７に通された結束バンド１０によって、制御配線２２を固定する。このとき、配線ダクトの配線のように、狭い筒状の空間に制御配線２２を挿入する必要が無いので、手間をかけることなく、制御配線２２を簡便に固定することができる（図４参照）。
【００２６】
そして、動力配線２３を、制御配線２２と距離を隔てて、上記と同様に簡便に固定する。
【００２７】
また、メンテナンス作業の際も同様に、手間をかけることなく、制御配線２２及び動力配線２３を簡便に固定することができる。
【００２８】
このドレンパンを備えた圧縮空気除湿装置の使用方法を、図１及び図２を参照して説明する。
【００２９】
圧縮空気除湿装置の操作部１３を操作すると、それに接続された制御部１２が、配電盤２５及び動力配線２３を介して、冷媒圧縮機３５を稼働させる。冷媒圧縮機３５は、冷媒を循環経路８中の冷媒凝縮機３６，受液器，電子膨張弁及び蒸発器に循環させる。
【００３０】
また、コンプレッサは、圧縮空気を圧縮空気入口５０から熱交換器２内に流入させる。熱交換器２内の蒸発器表面では、冷媒の循環により、圧縮空気中の水分が結露する。圧縮空気除湿装置は、結露した水を、排水管３４を介して装置外に排出する。また、圧縮空気除湿装置は、除湿した圧縮空気を、圧縮空気出口５２よりエアツールに供給する。
【００３１】
上記の圧縮空気の結露とは別に、冷媒の循環により、冷媒圧縮機３５及び冷媒凝縮器３６の外装表面や棚部３１では、外装体４０内の大気の水分がドレンとして結露する。図２に示すように、大半のドレン２８は、ドレンパン１内に溜まる。また、一部のドレン２９は、底部３０上に溜まる。このとき、動力配線２３及び制御配線２２は、ドレンパン１の折返し板５上にあるので、ドレン２９によって濡れ、漏電することが無い。
【００３２】
また、圧縮空気除湿装置では、差圧センサが、圧縮空気入口５０と圧縮空気出口５２とを流れる圧縮空気の差圧値を検知する。そして、差圧センサは、差圧値の検知信号を、制御配線２２を介して、制御部１２に伝達する。このとき、制御系配線２２と動力系配線２３とが隔てられているため、制御配線２２は動力配線２３の電磁波の影響を受けることがない。したがって、差圧センサは、正確な差圧値を制御部１２に伝えることができる。
【００３３】
そして、制御部１２は、伝達された差圧値を元に、圧縮空気の流量値を算出する。その流量値より、制御部１２は、冷媒圧縮機３５に必要な圧送圧力の値を算出する。制御部１２は、制御配線２２を介して冷媒圧縮機３５に圧送圧力の制御信号を伝達する。このときも、制御配線２２は動力配線２３の電磁波の影響を受けることがない。したがって、制御部１２は、冷媒圧縮機３５に対して正確に圧送圧力の制御信号を伝達し、圧送圧力を制御することができる。
【００３４】
図３に、本発明を適用する別なドレンパンの要部断面図が示されている。
【００３５】
結束バンドは、差し込み式結束バンド１１であってもよい。この差し込み式結束バンド１１により、制御配線２２及び動力配線２３を、ドレンパン１の折返し板５に、より簡便に固定することができる。
【産業上の利用可能性】
【００３６】
本発明のドレンパンを備えた装置は、配線を固定する際に用いられる配線ダクトを必要としないため、それにかかるコストを削減することができる。
【図面の簡単な説明】
【００３７】
【図１】本発明を適用するドレンパンを備えた圧縮空気除湿装置を示す斜視図である。
【図２】本発明を適用するドレンパンを示す要部断面図である。
【図３】本発明を適用する別なドレンパンを示す要部断面図である。
【図４】従来のドレンパンを備えた圧縮空気除湿装置を示す斜視図である。
【符号の説明】
【００３８】
１はドレンパン、２は熱交換器、５は折返し板、７は貫通孔、８は冷媒の循環経路、１０は結束バンド、１１は差し込み式結束バンド、１２は制御部、１３は操作部、１５は立ち上がり、１６は周縁部、１７は底板、２０は配線ダクト、２２は制御配線、２３は動力配線、２５は配電盤、２８はドレン、２９はドレン、３０は底部、３１は棚部、３２は排水管、３４は排水管、３５は冷媒圧縮機、３６は冷媒凝縮器、４０は外装体、５０は圧縮空気入口、５２は圧縮空気出口である。
【図１】
2008279416.tif 000003
【図２】
2008279416.tif 000004
【図３】
2008279416.tif 000005
【図４】
2008279416.tif 000006